(57)【要約】【課題】  この発明はボッ度本体を構成する箱状体に収容された収納ケースを円滑に引き出すことができるようにしたベッド装置を提供することにある。【解決手段】  幅方向の一側面が開口し内部を収容部９とした箱状体２を有しこの箱状体の上面にマットレスＭが載置されるベッド本体１と、上記収容部の内面に上記幅方向に沿って設けられた第１のガイド部材１１と、幅方向両側に上記第１のガイド部材に移動可能に係合する第２のガイド部材１６を有し、上記箱状体に出し入れ可能に設けられた搬送体１５と、この搬送体の前端に設けられ搬送体を上記箱状体に収容したときにその一側面の開口を閉塞する前板２２と、上記搬送体に載置されこの搬送体とともに上記箱状体から引き出される収納ケース２３ａ，２３ｂとを具備する。【選択図】      図１
2005185809.tif 000002
【特許請求の範囲】
【請求項１】
幅方向の一側面が開口し内部を収容部とした箱状体を有しこの箱状体の上面にマットレスが載置されるベッド本体と、
上記収容部の内面に上記幅方向に沿って設けられた第１のガイド部材と、
幅方向両側に上記第１のガイド部材に移動可能に係合する第２のガイド部材を有し、上記箱状体に出し入れ可能に設けられた搬送体と、
この搬送体の前端に設けられ搬送体を上記箱状体に収容したときにその一側面の開口を閉塞する前板と、
上記搬送体に載置されこの搬送体とともに上記箱状体から引き出される収納ケースと
を具備したことを特徴とするベッド装置。
【請求項２】
上記搬送体には、上記箱状体の幅方向に沿って複数の収納ケースが載置されることを特徴とする請求項１記載のベッド装置。
【請求項３】
上記搬送体は、一辺とこの一辺よりも短い他辺とによってＬ字状に形成された一対の端板と、一対の端板の幅方向両端部を連結した一対の上記第２のガイド部材とを具備し、
一方の端板の一辺の外面には上記前板が取り付けられ、他辺の幅方向両端には一対の上記第２のガイド部材の一端が取り付けられていて、これら第２のガイド部材の他端は上記搬送体に載置される収納ケースの大きさに応じて他方の端板の一辺又は他辺に取り付けられることを特徴とする請求項１記載のベッド装置。
【請求項４】
上記搬送体と上記収納ケースとの互いに接触する部分の少なくとも一方には、上記搬送体に対する上記収納ケースの滑動度合を高める滑動部材が設けられていることを特徴とする請求項２記載のベッド装置。
【請求項５】
上記搬送体は、Ｌ字状に形成され一辺の外面に上記前板が取り付けられた端板と、断面形状がＬ字状の部材をほぼコ字状に曲成し両端を上記端板の他辺に連結するとともに両側外面に上記第２のガイド部材が設けられたフレーム部材とによって構成されていることを特徴とする請求項１又は請求項２のいずれかに記載のベッド装置。
【発明の詳細な説明】
【技術分野】
【０００１】
この発明はベッド本体を構成する箱状体の内部を、収納ケースを出し入れ可能に設ける収容部として利用するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、たとえば特許文献１に示すように、上記ベッド本体（基体）に空間部を形成する。この空間部はベッド本体の幅方向一側面及び下面に開口しており、この側面開口から内部に収納ケース（箱体）を出し入れできるようにしている。したがって、上記収納ケースに衣類などの物品を入れることで、ベッド本体が占有する室内空間の有効利用を図ることができる。
【特許文献１】実開昭５７−７３６０号公報
【発明の開示】
【発明が解決しようとする課題】
【０００４】
上記特許文献１に示されたベッド装置は、ベッド本体に形成された空間部に設けられる収納ケースの下面にキャスタを設け、このキャスタによって床面を走行させることで、上記収納ケースを上記ベッド本体の空間部に対して出し入れできるようにしている。
【０００５】
しかしながら、キャスタによって収納ケースをベッド本体に形成された空間部に対して出し入れする構成によると、キャスタが床面を走行することになるから、このキャスタによって床面が傷付けられるということがあったり、床面に絨毯やカーペットが敷かれている場合には、キャスタが絨毯やカーペットに沈んで走行抵抗が大きくなるため、上記空間部に対して収納ケースを円滑に出し入れすることができないということもある。
【０００６】
さらに、ベッド本体の下面に設けたキャスタを床面に走行させる構成によると、ベッド本体に形成される空間部は、このベッド本体の下面を通じて外部に連通してしまうから、その下面から空間部に塵埃が入り込み、空間部内の収納ケースに収容された物品に塵埃が付着し、物品が汚れてしまうということがある。
【０００７】
また、特許文献１では、収納ケースをベッド本体の幅方向に対して２つに分割し、これら収納ケースを結合部材によって連結して空間部に収容するようにしている。それによって、ダブルサイズなどのようにベッド装置の幅寸法が大きい場合であって、ベッド本体の側方に、ベッド本体の幅寸法の約半分程度の引き出し用のスペースを確保することで、上記ベッド本体の空間部から２つの収納ケースを順次引き出すことを可能にしている。つまり、ベッド本体の空間部を幅方向全長にわたって有効に利用することができるようにしている。
【０００８】
２つの収納ケースを連結すると、各収納ケースを空間部に出し入れするときに、これら収納ケースに設けられたキャスタの走行方向が一致し難い。そのため、収納ケースが１つの場合に比べ、上記空間部に対する収納ケースの出し入れがさらにし難くなるということがある。
【０００９】
この発明は、収納ケースが収容される収容部を塵埃が入り難い密閉構造にできるとともに、収納ケースの出し入れを円滑に行なうことができるようにしたベッド装置を提供することにある。
【課題を解決するための手段】
【００１０】
この発明は、幅方向の一側面が開口し内部を収容部とした箱状体を有しこの箱状体の上面にマットレスが載置されるベッド本体と、
上記収容部の内面に上記幅方向に沿って設けられた第１のガイド部材と、
幅方向両側に上記第１のガイド部材に移動可能に係合する第２のガイド部材を有し、上記箱状体に出し入れ可能に設けられた搬送体と、
この搬送体の前端に設けられ搬送体を上記箱状体に収容したときにその一側面の開口を閉塞する前板と、
上記搬送体に載置されこの搬送体とともに上記箱状体から引き出される収納ケースと
を具備したことを特徴とするベッド装置にある。
【００１１】
上記搬送体には、上記箱状体の幅方向に沿って複数の収納ケースが載置されることが好ましい。
【００１２】
上記搬送体は、一辺とこの一辺よりも短い他辺とによってＬ字状に形成された一対の端板と、一対の端板の幅方向両端部を連結した一対の上記第２のガイド部材とを具備し、
一方の端板の一辺の外面には上記前板が取り付けられ、他辺の幅方向両端には一対の上記第２のガイド部材の一端が取り付けられていて、これら第２のガイド部材の他端は上記搬送体に載置される収納ケースの大きさに応じて他方の端板の一辺又は他辺に取り付けられることが好ましい。
【００１３】
上記搬送体と上記収納ケースとの互いに接触する部分の少なくとも一方には、上記搬送体に対する上記収納ケースの滑動度合を高める滑動部材が設けられていることが好ましい。
【００１４】
上記搬送体は、Ｌ字状に形成され一辺の外面に上記前板が取り付けられた端板と、断面形状がＬ字状の部材をほぼコ字状に曲成し両端を上記端板の他辺に連結するとともに両側外面に上記第２のガイド部材が設けられたフレーム部材とによって構成されていることが好ましい。
【発明の効果】
【００１５】
この発明によれば、収納ケースを箱状体の収容部に収容したときには、この箱状体を密閉することができるから、収納ケースに収容された物品に塵埃が付着するのを防止でき、しかも箱状体に移動可能に設けられた搬送体に収納ケースを載置するため、収納ケースの出し入れを円滑に行なうことが可能となる。
【発明を実施するための最良の形態】
【００１６】
以下、この発明の実施の形態を図面を参照して説明する。  
図１乃至図６はこの発明の第１の実施の形態を示す。図１はこの発明のベッド装置の分解斜視図であって、このベッド装置はベッド本体１を備えている。このベッド本体１は互いの一端面を接触させて並設固定された２つの箱状体２を有する。一方の箱状体２の他端面にはヘッドボード３が立設され、他方の箱状体２の他端面にはフットボード４が設けられている。一対の箱状体２の上面にはマットレスＭが載置される。
【００１７】
各箱状体２は、図２に示すように一側面が開口し、他側面は側板５によって閉塞されているとともに、底面は底板６、上面は床板７によって閉塞され、さらに２つの箱状体２の互いに接続された一端面は端板（図３に示す）によって閉塞されている。それによって、上記箱状体２の内部空間は、この箱状体２の幅方向一側面に開口した収容部９に形成されている。なお、底板６の下面には図２に示すように脚部材６ａが設けられている。
【００１８】
収容部９の両側内面には、それぞれ箱状体２の幅方向に沿って第１のガイド部材１１が設けられている。この第１のガイド部材１１は、図５（ｄ）に示すように帯状の板材を断面コ字状に折曲することでガイド溝１２が全長にわたって形成されているとともに、このガイド溝１２の上記収容部９の開口端側に位置する先端部には第１のローラ１３が設けられている。
【００１９】
一対の第１のガイド部材１１には搬送体１５が移動可能に支持されている。この搬送体１５は上記収容部９の両側内面に設けられた上記一対の第１のガイド部材１１とほぼ同じ間隔で離間した一対の第２のガイド部材１６を有する。この第２のガイド部材１６は、図５（ａ）〜（ｃ）に示すように帯状の板材を断面クランク状に折曲することで、上部フランジ１７と下部フランジ１８とを有し、後端の外面には第２のローラ１９が設けられている。
【００２０】
上記一対の第２のガイド部材１６の先端と後端とにはそれぞれ同じ形状の端板２１が連結されている。この端板２１は板材を一辺２１ａと他辺２１ｂを有するとともに、一辺２１ａが他辺２１ｂよりも長尺なＬ字状に折曲してなる。そして、第２のガイド体１６の先端部の下面には、図５（ａ），（ｂ）に示すようにそれぞれ上記端板２１の一辺２１ａよりも短い他辺２１ｂの幅方向両端が連結されており、後端部の下面には図５（ａ）に示す搬送体１５の場合は端板２１の他辺２１ｂが連結され、図５（ｂ）に示す搬送体１５の場合は一辺２１ａが連結されている。それによって、搬送体１５は第２のガイド体１６の下部フランジ１８を幅方向内方に向けた枠状に形成されている。
【００２１】
搬送体１５の第２のガイド部材１６の後端に連結される端板２１は、図５（ｂ）に示すように、上記端板２１の他辺２１ｂよりも長尺な一辺２１ａを連結すれば、上記端板２１の一辺２１ａと他辺２１ｂとの長さ寸法の差に応じて搬送体１５の長さ寸法を長くすることができる。この実施の形態では図５（ｂ）に示す、図５（ａ）よりも長さ寸法の長い搬送体１５が用いられている。
【００２２】
なお、一対の第２のガイド部材１６の長手方向中途部には、両端を各ガイド部材１６の下面に連結された帯状の補強部材１６ａが設けられている。それによって、搬送体１５は幅方向の強度が補強されている。
【００２３】
図３と図４に示すように、上記搬送体１５の第２のガイド部材１６の上記端板２１が連結される辺の上面には、比較的硬質な合成樹脂によってテープ状に形成された第１の滑動部材２０ａが長手方向ほぼ全長にわたって貼着されている。
【００２４】
上記搬送体１５は、図３に示すように、その上部フランジ１７を上記第１のカイド部材１１の第１のローラ１３に係合させるとともに、第２のローラ１９を第１のガイド部材１１のガイド溝１２に係合させて設けられている。それによって、搬送体１５は上記第１のガイド部材１１に沿って移動し、上記箱状体２の収容部９の一側面の開口から出し入れ可能となっている。
【００２５】
上記搬送体１５の先端側の端板２１の起立した一辺２１ａの外面には、図４に示すように前板２２がねじ２２ａによって取り付けられている。この前板２２は上記端板２１の一辺２２ａよりも大きく形成されていて、図２に示すように搬送体１５を上記収容部９に収容すると、この収容部９の開口面を閉塞するようになっている。
【００２６】
上記搬送体１５には、図１と図６に示すように，上面が開口した箱形状の第１の収納ケース２３ａと第２の収納ケース２３ｂとが両端部の下面を上記第２のガイド部材１６の下部フランジ１８に係合させて上記搬送体１５の移動方向に沿って一列に載置されている。
【００２７】
図３に示すように、各収納ケース２３ａ，２３ｂの両側板２５には凹状の手掛け部２４が形成されている。さらに、各収納ケース２３ａ，２３ｂの両側板２５の下端面には、長手方向全長にわたって上記第１の滑動部材２０ａと同じ材料によってテープ状に形成された第２の滑動部材２０ｂが貼着されている。この第２の滑動部材２０ｂは、各収納ケース２３ａ，２３ｂを搬送体１５に載置したときに、上記第１のガイド部材２０Ａに接触する。それによって、各収納ケース２３ａ，２３ｂを上記搬送体１５の第２のガイド部材１６に沿って円滑にスライドさせることができるようになっている。
【００２８】
なお、この実施の形態では第２のガイド部材１６と収納ケース２３ａ，２３ｂとの両方に滑動部材２０ａ，２０ｂを設けたが、どちらか一方だけに設けても、搬送体１５に対して収納ケース２３ａ，２３ｂを円滑にスライドさせることが可能である。また、滑動部材２０ａ，２０ｂとしては上面が平坦なテープ状の部材でなく、幅方向に複数の突条を長手方向に沿って設けるようにすれば、接触状態が面接触から線接触となるから、各収納ケース２３ａ，２３ｂをより一層、円滑にスライドさせることが可能となる。
【００２９】
このような構成のベッド装置によれば、箱状体２の内部空間の収容部９には、幅方向両側に第１のガイド部材１１をベッド本体１の幅方向に沿って設け、この第１のガイド部材１１には搬送体１５を形成する第２のガイド部材１６を移動可能に係合させて設けるようにした。そして、この搬送体１５に、たとえば衣類などの小物類などを収容することができる、第１の収納ケース２３ａと第２の収納ケース２３ｂとを搬送体１５の移動方向に直列に載置した。
【００３０】
上記第１の収納ケース２３ａと第２の収納ケース２３ｂとを搬送体１５に載置するようにしたことで、この搬送体１５に設けられた前板２２によって上記箱状体２の開口した一側面を閉塞できるようにした。つまり、箱状体２の開口した一側面を前板２２で閉塞することで、収容部９を密閉することができる。
【００３１】
つまり、搬送体１５を箱状体２に収容することで、この箱状体２を密閉することができる。そのため、箱状体２の収容部９内に塵埃が入り込み難いから、この収容部９内に設けられた収納ケース２３ａ，２３ｂ内の物品に塵埃が付着するのを防止することができる。
【００３２】
上記搬送体１５は、収容部９の幅方向両側内面に設けられた第１のガイド部材１１に沿って出し入れできるようにした。そして、箱状体２に底板６を設け、搬送体１５を箱状体２に収納したときに、この箱状体２の収容部９が密閉される構造とすることで、上記底板６によって箱状体２の前端面に、この底板６の厚さに応じた段差が形成される。しかしながら、底板６によって段差が形成されても、搬送体１５は第１のガイド部材１１に沿って移動するから、搬送体１５の出し入れ、つまり収納ケース２３ａ，２３ｂの出し入れを円滑に行なうことができる。
【００３３】
つまり、キャスタを床面に走行させて収納ケース２３ａ，２３ｂを収容部９に対して出し入れする従来の構造に比べ、収納ケース２３ａ，２３ｂの出し入れを軽い力で容易に行なうことができ、しかもキャスタによって床面を傷付けるということもないばかりか、搬送体１５を収納したときには箱状体２を密閉することができる。
【００３４】
搬送体１５に２つの収納ケース２３ａ，２３ｂを直列に載置したことで、この搬送体１５を箱状体２から引き出すと、この搬送体１５に２つの収納ケース２３ａ，２３ｂを連動させることができる。
【００３５】
すなわち、箱状体２に２つの収納ケース２３ａ，２３ｂが収納された状態から、図６（ａ）に示すように第２の収納ケース２３ｂの先端部分が露出する位置まで搬送体１５を引き出した後、第１の収納ケース２３ａを搬送体１５から除去する。ついで、第２の収納ケース２３ｂの露出した先端部に手を掛けて前方へ引けば、この第２の収納ケース２３ｂを図６（ｂ）に示すように搬送体１５上をスライドさせて箱状体２から露出させ、この第２の収納ケース２３ｂを利用することができる。
【００３６】
つまり、第２の収納ケース２３ｂ全体が露出するまで搬送体１５を箱状体２から引き出さなくても、第２の収納ケース２３ｂを搬送体１５上でスライドさせて箱状体２から露出させることができる。それによって、第２の収納ケース２３ｂ全体が露出する状態まで搬送体１５を引き出さなくとも、この第２の収納ケース２３ｂ全体を箱状体２から露出させることができるから、第２の収納ケース２３ｂが利用し易い。
【００３７】
このとき、第２のガイド部材１６の上面には第１の滑動部材２０ａが設けられ、第２の収納ケース２３ｂの側板２５の下端面には上記第１の滑動部材２０ａに接触する第２の滑動部材２０ｂが設けられているから、これらの接触によって上記第２の収納ケース２３ｂを搬送体１５上で軽い力で円滑にスライドさせることができる。
【００３８】
しかも、ベッド本体１の側方に搬送体１５全体を引き出すためのスペースを確保しなくとも、第２の収納ケース２３ｂを搬送体１５上でスライドさせ、ベッド本体１から露出させて利用できるから、ベッド本体１の設置場所に大きな制限を受けることもない。
【００３９】
また、搬送体１５を構成する２つの端板２１のうち、後端側の端板２１の一辺２３ａと他辺２３ｂのどちらを第２のガイド部材１６の後端に連結するかによって、搬送体１５の長さ寸法を変えることができる。
【００４０】
つまり、搬送体１５に載置される収納ケースの奥行き方向の寸法に応じて搬送体１５の長さ寸法を変えることが可能であるから、第１、第２の収納ケース２３ａ，２３ｂの長さ寸法を変えた場合であっても、これら収納ケース２３ａ，２３ｂを搬送体１５に載置することが可能となる。
【００４１】
しかも、搬送体１５の長さ寸法の変更は、第２のガイド部材１６の後端に対し、端板２１の一辺２１ａ或いは他辺２１ｂのどちらを連結するかを選択するだけでよいから、その変更を、余計な部品を必要とせずに簡単に行なうことができる。
【００４２】
図７はこの発明の第２の実施の形態を示す。この実施の形態は、箱状体２の幅寸法を大きくせずに、ベッド本体１の幅寸法を大きくする場合であって、その場合、箱状体２の後端外面に第１の受け桟２６を設ける一方、この箱状体２よりも大きな幅寸法に形成されたヘッドボードとフットボードとの、上記箱状体２の後端面から突出した幅方向一端間に側板２７を架設する。
【００４３】
上記側板２７の内面には上記第１の受け桟２６と同じ高さで第２の受け桟２８を設ける。そして、第１の受け桟２６と第２の受け桟２８とに、箱状体２の上面と同じ高さで床板２９を架設し、この床板２９と箱状体２の上面とがなす面をマットレスＭの載置面として利用する。  
すなわち、この発明のベッド本体１は、箱状体２だけの構成に限定されず、箱状体２と床板２９とによって構成される場合であっても差し支えない。
【００４４】
図８乃至図１０はこの発明の第３の実施の形態を示す。この実施の形態は搬送体の変形例であって、第１の実施の形態と同一部分には同一記号を付して説明を省略する。すなわち、この第３の実施の形態の搬送体１５Ａは端板２１を有する。この端板２１は外面に前板２２が取り付けられる一辺２１ａと、この一辺２１ａよりも短尺な他辺２１ｂとによってＬ字状に形成されている。上記他辺２１ｂの上面には、断面Ｌ字状の部材、つまりアングル材をコ字状に曲成したフレーム部材３１の両端が連結固定されている。そして、このフレーム部材３１の両側外面には上記第１の実施の形態と同様、第２のガイド部材１６が長手方向に沿って設けられている。
【００４５】
図１０（ａ），（ｂ）に示すように、上記搬送体１５Ａには３つの収納体２３ａ〜２３ｃが並設載置される。つまり、この実施の形態の搬送体１５Ａは、２つの収納体２３ａ，２３ｂを並設載置する第１の実施の形態の搬送体１５に比べて長尺に形成されており、たとえばダブルサイズのベッド装置などに適用できる長さになっている。
【００４６】
搬送体１５Ａに載置された３つの収納体２３ａ〜２３ｃのうち、後方に位置する２つの収納体２３ｂ，２３ｃの対向する端板３２の上端部は板材をコ字状に曲成した連結具３３によって着脱可能に連結される。
【００４７】
図９に示すように、上記搬送体１５Ａのフレーム部材３１の両側の水平面の上面には第１の滑動部材２０ａが貼着され、上記搬送体１５Ａの両側に載置される３つの収納体２３ａ〜２３ｃの両側板２５の下端面には第２の滑動部材２０ｂが貼着されている。第１，第２の滑動部材２０ａ，２０ｂは第１の実施の形態と同様、滑り易い材料のものが用いられている。  
なお、この実施の形態においても、第１の実施の形態と同様、第１、第２の滑動部材２０ａ，２０ｂのいずれか一方だけを設けるようにしても差し支えない。
【００４８】
このような構成のベッド装置において、収容体２３Ａ〜２３ｃを利用するには、図１０（ａ）に示すように第１の収容体２３ａが箱状体２から露出するよう搬送体１５Ａを引き出す。それによって、この第１の収容体２３ａを利用することができる。
【００４９】
第２の収容体２３ｂを利用する場合には，図１０（ｂ）に示すように搬送体１５Ａを図１０（ａ）に示された状態よりもさらに引き出すことなく、収容部９から露出した第１の収容体２３ａを搬送体１５Ａから除去する。ついで、収容部９から露出する第２の収容体２３ｂの端板３２に手を掛け、この第２の収容体２３ｂを搬送体１５Ａ上をスライドさせて引き出す。それによって、上記第２の収納体２３ｂを利用することができる。
【００５０】
このとき、第２の収納体２３ｂに連結具３３によって連結された第３の収納体２３ｃが連動してスライドする。そのため、第２の収納体２３ｂに次いで第３の収納体２３ｃを利用する場合には、連結具３３を取外して搬送体１５Ａ上から第２の収納体２３ｂを除去する。それによって、第３の収納体２３ｃが露出するから、搬送体１５Ａを引き出すことなく、第３の収納体２３ｃの端板３２に手を掛けることができる。
【００５１】
したがって、この第３の収納体２３ｃを搬送体１５Ａのフレーム部材３１の両側上面をスライドさせて箱状体２の収容部９から引き出せれば、この第３の箱状体２３ｃを利用することができる。
【００５２】
第１乃至第３の収容体２３ａ〜２３ｃの側板２７がスライドするフレーム部材３１の両側上面には第１の滑動部材２０ａが設けられ、上記側板２７の下端面には第２の滑動部材２０ｂが設けられているから、第２、第３の収容体２３ｂ，２３ｃを利用するとき、これら収容体２３ｂ，２３ｃを軽い力で容易に搬送体１５Ａ上をスライドさせて引き出すことができる。
【００５３】
つまり、たとえばベッド装置がダブルサイズで、このベッド装置の幅寸法に応じて搬送体１５Ａの奥行き寸法が大きく、しかも搬送体１５Ａの引き出し方向となる、箱状体２の側方に十分なスペースを確保できない場合であっても、第２、第３の収納体２３ｂ、２３ｃを軽い力で楽にスライドさせて箱状体２の収容部９から引き出すことができるから、これら収容体２３ｂ，２３ｃを容易に利用することができる。
【図面の簡単な説明】
【００５４】
【図１】この発明の第１の実施の形態を示すベッド装置の分解斜視図。
【図２】ベッド本体を構成する箱状体の幅方向に沿う縦断面図。
【図３】収納ケースが設けられた箱状体の幅方向一端部の拡大断面図。
【図４】搬送体の端板及びこの端板に取り付けられた前板の拡大断面図。
【図５】（ａ）、（ｂ）は後端側の端板の取り付け状態を違えた搬送体の斜視図、（ｃ）は第２のガイド部材の平面図、（ｄ）は第１のガイド部材の側面図。
【図６】箱状体から搬送体を引き出した状態を拡大して示す断面図。
【図７】この発明の他の実施の形態を示すベッド本体の縦断面図。
【図８】この発明の第３の実施の形態を示す搬送体の斜視図。
【図９】収納ケースが設けられた箱状体の幅方向一端部の拡大断面図。
【図１０】箱状体から搬送体を引き出した状態を拡大して示す断面図。
【符号の説明】
【００５５】
１…ベッド本体、２…箱状体、９…収容部、１１…第１のガイド部材、１５…搬送体、１６…第２のガイド部材、２２…前板、２３ａ，２３ｂ…収納ケース。
【図１】
2005185809.tif 000003
【図２】
2005185809.tif 000004
【図３】
2005185809.tif 000005
【図４】
2005185809.tif 000006
【図５】
2005185809.tif 000007
【図６】
2005185809.tif 000008
【図７】
2005185809.tif 000009
【図８】
2005185809.tif 000010
【図９】
2005185809.tif 000011
【図１０】
2005185809.tif 000012